(57)【要約】【課題】電力ロスを低減した光源装置及び照明装置を提供する。【解決手段】親モジュール１０は、チップＬＥＤ１、チップＬＥＤ１に定電流を供給する定電流電源ＩＣ１２、定電流電源ＩＣ１２の出力電流を調整する抵抗１５、入出力用のコネクタＣＮ１〜ＣＮ４、チップジャンパ２〜９などを備えている。チップジャンパ２を装着し、チップジャンパ３を装着しないことにより、コネクタＣＮ１の電路を定電流電源ＩＣ１２の入力端に接続することができる。他のチップジャンパ４〜９も同様にすることで、外部からコネクタＣＮ１に接続された２４Ｖは、コネクタＣＮ２を通じて外部へ供給することができるとともに、コネクタＣＮ３、ＣＮ４を通じて定電流電源ＩＣ１２の出力電流を外部へ供給することができる。【選択図】図２
2010015781.tif 000002
【特許請求の範囲】
【請求項１】
複数のモジュールからなる光源装置において、
前記複数のモジュールは、
グループを形成し、該グループ毎に光源を有する第１のモジュールと、
該第１のモジュールの前記光源を駆動する駆動回路を有する第２のモジュールとからなることを特徴とする光源装置。
【請求項２】
前記グループには、複数の第１のモジュールが含まれ、
該複数の第１のモジュールの光源は、
前記第２のモジュールの駆動回路を共用して駆動されることを特徴とする請求項１に記載の光源装置。
【請求項３】
前記第１のモジュール及び前記第２のモジュールは、周縁部に複数のコネクタをそれぞれ備え、
前記第１のモジュール及び前記第２のモジュールの配置に応じて、前記複数のコネクタから相互に接続するコネクタを選択することにより、前記第１のモジュール及び前記第２のモジュールの配置を柔軟にしたことを特徴とする請求項１又は請求項２に記載の光源装置。
【請求項４】
前記第１のモジュール及び前記第２のモジュールは、それぞれ第１の基板及び第２の基板に光源を実装してあり、
前記第１のモジュール及び前記第２のモジュールの基板面積当たりの光源数は同一であることを特徴とする請求項１から請求項３までのいずれか１項に記載の光源装置。
【請求項５】
前記第１の基板及び第２の基板の寸法を同一にしてあることを特徴とする請求項４に記載の光源装置。
【請求項６】
前記第２のモジュールは、
駆動する前記第１のモジュールの数に応じて、前記駆動回路の出力を調整する調整手段を備えることを特徴とする請求項１から請求項５までのいずれか１項に記載の光源装置。
【請求項７】
前記第２のモジュール及び／又は前記第１のモジュールは、
入出力用の複数のコネクタと、
該コネクタそれぞれに接続され、該コネクタと前記駆動回路及び該駆動回路の出力端それぞれとの電路及び／又は該コネクタと前記光源との電路を開閉することが可能な開閉部と
を備えることを特徴とする請求項１から請求項６までのいずれか１項に記載の光源装置。
【請求項８】
前記光源は、発光ダイオードであることを特徴とする請求項１から請求項７までのいずれか１項に記載の光源装置。
【請求項９】
請求項１から請求項８までのいずれか１項に記載の光源装置を備えることを特徴とする照明装置。
【発明の詳細な説明】
【技術分野】
【０００１】
本発明は、看板、標識、表示板、照明器具等の照明装置などに用いることができる光源装置及び該光源装置を備える照明装置に関する。
【背景技術】
【０００２】
店舗、ビル、公共施設、道路などには様々な看板や標識が使用されている。また、昼間だけでなく夜間でも、看板や標識の表示を確認することができるように、内部に光源を設けている。最近では、この光源の長寿命化や省電力化のために、光源として発光ダイオードを採用するようになってきている。
【０００３】
例えば、プリント回路基板に複数の発光ダイオードを実装するとともに、発光ダイオードに所要の直流電圧を供給するための低電圧回路及び定電流回路をケースに収めた発光ダイオードアセンブリを照明看板の上面にジグザグ形状に配置した照明看板用発光ダイオードアセンブリが開示されている（特許文献１参照）。
【特許文献１】特開２００４−３１００９０号公報
【発明の開示】
【発明が解決しようとする課題】
【０００４】
特許文献１に開示された照明看板用発光ダイオードアセンブリは、それぞれの発光ダイオードアセンブリ毎に発光ダイオードに直流電流を供給して駆動する定電圧回路及び定電流回路を備えているので、発光ダイオードアセンブリ毎に直流電流に変換する際に電力ロスを生じることになる。従って、複数の発光ダイオードアセンブリを接続して照明看板等に用いられる光源装置を構成すると、発光ダイオードアセンブリ毎に電力ロスを生じるので、光源装置全体として電力ロスが大きくなるという問題があった。
【０００５】
本発明は斯かる事情に鑑みてなされたものであり、電力ロスを低減した光源装置及び該光源装置を備える照明装置を提供することを目的とする。
【課題を解決するための手段】
【０００６】
本発明に係る光源装置は、複数のモジュールからなる光源装置において、前記複数のモジュールは、グループを形成し、該グループ毎に光源を有する第１のモジュールと、該第１のモジュールの前記光源を駆動する駆動回路を有する第２のモジュールとからなることを特徴とする。
【０００７】
本発明に係る光源装置は、前記グループには、複数の第１のモジュールが含まれ、該複数の第１のモジュールの光源は、前記第２のモジュールの駆動回路を共用して駆動されることを特徴とする。
【０００８】
本発明に係る光源装置は、前記第１のモジュール及び前記第２のモジュールは、周縁部に複数のコネクタをそれぞれ備え、前記第１のモジュール及び前記第２のモジュールの配置に応じて、前記複数のコネクタから相互に接続するコネクタを選択することにより、前記第１のモジュール及び前記第２のモジュールの配置を柔軟にしたことを特徴とする。
【０００９】
本発明に係る光源装置は、前記第１のモジュール及び前記第２のモジュールは、それぞれ第１の基板及び第２の基板に光源を実装してあり、前記第１のモジュール及び前記第２のモジュールの基板面積当たりの光源数は同一であることを特徴とする。
【００１０】
本発明に係る光源装置は、前記第１の基板及び第２の基板の寸法を同一にしてあることを特徴とする。
【００１１】
本発明に係る光源装置は、前記第２のモジュールは、駆動する前記第１のモジュールの数に応じて、前記駆動回路の出力を調整する調整手段を備えることを特徴とする。
【００１２】
本発明に係る光源装置は、前記第２のモジュール及び／又は前記第１のモジュールは、入出力用の複数のコネクタと、該コネクタそれぞれに接続され、該コネクタと前記駆動回路及び該駆動回路の出力端それぞれとの電路及び／又は該コネクタと前記光源との電路を開閉することが可能な開閉部とを備えることを特徴とする。
【００１３】
本発明に係る光源装置は、前記光源は、発光ダイオードであることを特徴とする。
【００１４】
本発明に係る照明装置は、前述の発明に係る光源装置を備えることを特徴とする。
【００１５】
本発明にあっては、光源装置は、グループを形成した複数のモジュールからなり、グループ毎に光源を有する第１のモジュールと、第１のモジュールの光源を駆動する駆動回路を有する第２のモジュールとからなる。これにより、すべてのモジュールに駆動回路を設ける必要がなく、光源装置全体として電力ロスを低減することができる。
【００１６】
本発明にあっては、グループには、複数の第１のモジュールが含まれ、複数の第１のモジュールの光源は、第２のモジュールの駆動回路を共用して駆動される。これにより、駆動回路を共用することができ、光源装置全体として電力ロスを低減することができる。
【００１７】
本発明にあっては、第１のモジュール及び第２のモジュールは、周縁部に複数のコネクタをそれぞれ備え、第１のモジュール及び第２のモジュールの配置に応じて、複数のコネクタから相互に接続するコネクタを選択することにより、第１のモジュール及び第２のモジュールの配置を柔軟にする。これにより、第１のモジュールと第２のモジュールの配置の自由度が増加し、柔軟な配置を行うことができる。
【００１８】
本発明にあっては、光源装置は、第１のモジュール及び第２のモジュールは、それぞれ第１の基板及び第２の基板に光源を実装してあり、第１のモジュール及び前記第２のモジュールの基板面積当たりの光源数を同一にしてある。これにより、看板や標識等の形状寸法に合わせて、第１のモジュール又は第２のモジュールの数を増減したときでも、基板面積当たりの光源数が変わらないので、看板や標識の形状寸法に関わらず明るさを一様にすることができる。
【００１９】
本発明にあっては、第１の基板及び第２の基板の寸法を同一にしてある。これにより、第１のモジュール又は第２のモジュールの数を増減させることで、看板や標識等の形状寸法に合わせることが可能となる。
【００２０】
本発明にあっては、第２のモジュールは、駆動する第１のモジュールの数に応じて、駆動回路の出力を調整する調整手段を備える。駆動回路は、例えば、光源に電流を供給する電流回路であり、調整手段は、電流回路の出力電流を調整する抵抗素子である。これにより、第２のモジュールで駆動する第１のモジュールの数に関わらず、光源に同程度の電流を流すことができる。
【００２１】
本発明にあっては、第２のモジュールは、入出力用の複数のコネクタと、コネクタそれぞれに接続され、該コネクタと駆動回路（例えば、駆動回路の入力側）及び該駆動回路の出力端それぞれとの電路を開閉することが可能な開閉部とを備える。例えば、第１〜第４コネクタの４つのコネクタを備えているとし、第１コネクタ及び第２コネクタと駆動回路との電路を閉じるとともに、駆動回路の出力端との電路を開く。また、第３コネクタ及び第４コネクタと駆動回路の出力端との電路を閉じるとともに、駆動回路との電路を開いたとする。第１コネクタに入力電源を接続した場合、第２コネクタからは入力電源を外部へ取り出すことができる。また、第３コネクタ及び第４コネクタからは駆動回路の出力を外部へ取り出すことができる。これにより、第２のモジュールの第２コネクタに他の第２のモジュールを接続し、第３コネクタ及び第４コネクタに第１のモジュールを接続した場合、第２のモジュールから他の第２のモジュールへ入力電圧を供給することができるとともに、第１のモジュールへ駆動回路の出力を供給することができる。これにより、第２のモジュール同士の接続、あるいは第２のモジュールと第１のモジュールとの接続を容易に行うことができる。
【００２２】
また、第１のモジュールは、入出力用の複数のコネクタと、コネクタそれぞれに接続され、該コネクタと光源との電路を開閉することが可能な開閉部とを備える。例えば、第１〜第４コネクタの４つのコネクタを備えているとし、第１〜第４コネクタと光源との電路を閉じたとする。第１コネクタに他のモジュールからの駆動回路の出力を接続した場合、第２〜第４コネクタからは、同様に駆動回路の出力を外部へ取り出すことができる。これにより、第２のモジュールと第１のモジュールとの接続、あるいは第１のモジュール同士の接続を容易に行うことができる。
【００２３】
本発明にあっては、光源は、発光ダイオードである。これにより、光源装置の長寿命化及び省電力化を図ることができる。
【００２４】
本発明にあっては、照明装置は、上述の光源装置を備える。これにより、電力ロスを低減することができる照明装置を提供することができる。
【発明の効果】
【００２５】
本発明によれば、電力ロスを低減した光源装置及び当該光源装置を備える看板、表示板、照明器具等の光源装置を実現することが可能である。また、グループを形成した複数のモジュールで構成して、すべてのモジュールに駆動回路を設ける必要がないので、光源装置全体として電力ロスを低減することができる。また、駆動回路を共用することができ、光源装置全体として電力ロスを低減することができる。また、光源装置内で複数のモジュールを配置する際の自由度が増し、柔軟な配置を実現することができる。また、設置場所に応じて看板や標識等の形状寸法が異なる場合であっても、異なる形状寸法に柔軟に対応して看板や標識等に使用することができる。
【発明を実施するための最良の形態】
【００２６】
実施の形態１
以下、本発明をその実施の形態を示す図面に基づいて説明する。図１は本発明に係る光源装置１００の外観斜視図である。本発明に係る光源装置１００は、看板、標識、表示板、照明器具等の照明装置などに用いることができるが、以下では看板に用いる場合について説明する。図１に示すように、光源装置１００は、店舗などの建物の外壁に取り付けることができ、基板に光源を実装したモジュールを複数内部に配置することができる筐体５０に、文字、記号、図形又は模様などが描かれたアクリル板５１を取り付けてある。内蔵された光源により、アクリル板５１全体が所要の照度で均一に発光する。
【００２７】
光源装置１００は、第１のモジュールとしての子モジュール及び第２のモジュールとしての親モジュールの２種類のモジュールを備えている。１つの親モジュールには、１又は複数の子モジュールを接続することができる。
【００２８】
図２は親モジュール１０の構成を示す回路図である。親モジュール１０は、後述する基板に適長離隔して実装された６個の光源としてのチップＬＥＤ（白色発光ダイオード）１、チップＬＥＤ１に定電流を供給する駆動回路としての定電流電源ＩＣ１２、定電流電源ＩＣ１２の出力電流を調整する調整手段としての抵抗１５、入出力用のコネクタＣＮ１〜ＣＮ４、コネクタＣＮ１に接続された開閉部としてのチップジャンパ２、３、コネクタＣＮ２に接続された開閉部としてのチップジャンパ４、５、コネクタＣＮ３に接続された開閉部としてのチップジャンパ６、７、コネクタＣＮ４に接続された開閉部としてのチップジャンパ８、９、過電流を検出して光源装置１００を保護するためのヒューズ１１、外部から進入するサージ電圧から定電流電源ＩＣ１２を保護するためのバリスタ１４、ノイズを吸収するためのコンデンサ１３などを備えている。
【００２９】
抵抗１５の値を変えることで、親モジュール１０が駆動する子モジュールの数を変更することができる。例えば、駆動対象である子モジュールの数を増やす場合には、抵抗１５の抵抗値を小さくし、駆動対象である子モジュールの数を減らす場合には、抵抗１５の抵抗値を大きくすることができる。なお、上述の例では、抵抗１５のみで定電流電源ＩＣ１２の出力電流を調整する構成であるが、出力電流の調整は、抵抗素子とトランジスタとの組合せなど他の構成でもよい。
【００３０】
チップジャンパ２、３は、２個一組で開閉部として機能させることができ、一方を装着することで電路を閉じ、他方を装着しないことで電路を開く。例えば、チップジャンパ２を装着し、チップジャンパ３を装着しないことにより、コネクタＣＮ１の電路（ＧＮＤでない電路）を定電流電源ＩＣ１２の入力端（ＩＮ）に接続することができる。コネクタＣＮ１には、外部の電源（例えば、２４Ｖ）を接続する。なお、外部の電源の電圧は２４Ｖに限定されるものではなく、他の電圧、例えば、３３Ｖなどでもよい。
【００３１】
同様に、チップジャンパ４、５は、２個一組で開閉部として機能させることができ、一方を装着することで電路を閉じ、他方を装着しないことで電路を開く。例えば、チップジャンパ４を装着し、チップジャンパ５を装着しないことにより、コネクタＣＮ２の電路（ＧＮＤでない電路）を定電流電源ＩＣ１２の入力端（ＩＮ）、すなわち、コネクタＣＮ２に供給された２４Ｖに接続することができ、外部へ２４Ｖを供給することができる。
【００３２】
同様に、チップジャンパ６、７は、２個一組で開閉部として機能させることができ、一方を装着することで電路を閉じ、他方を装着しないことで電路を開く。例えば、チップジャンパ７を装着し、チップジャンパ６を装着しないことにより、コネクタＣＮ３の電路（ＧＮＤでない電路）を定電流電源ＩＣ１２の出力端（ＯＵＴ）に接続することができ、外部へ定電流電源ＩＣ１２の出力電流を供給することができる。
【００３３】
同様に、チップジャンパ８、９は、２個一組で開閉部として機能させることができ、一方を装着することで電路を閉じ、他方を装着しないことで電路を開く。例えば、チップジャンパ９を装着し、チップジャンパ８を装着しないことにより、コネクタＣＮ４の電路（ＧＮＤでない電路）を定電流電源ＩＣ１２の出力端（ＯＵＴ）に接続することができ、外部へ定電流電源ＩＣ１２の出力電流を供給することができる。
【００３４】
チップジャンパ２〜９を上述の如くにすることで、外部からコネクタＣＮ１に接続された２４Ｖは、コネクタＣＮ２を通じて外部へ供給することができるとともに、コネクタＣＮ３、ＣＮ４を通じて定電流電源ＩＣ１２の出力電流を外部へ供給することができる。なお、チップジャンパ２〜９を装着するか否かの組み合わせは、上述の例に限定されるものではなく、光源装置１００に内蔵する親モジュール１０及び後述する子モジュールの数又は組み合わせに応じて変更することができる。
【００３５】
開閉部としてのチップジャンパ２〜９は一例であって、これに限定されるものではなく、電路を開閉することができるものであれば、ディップスイッチなどの他のスイッチを用いることができる。また、チップＬＥＤ１の数は６個に限定されるものではなく、他の数実装することができる。
【００３６】
図３は親モジュール１０の基板３０の実装配置の一例を示す説明図である。図３に示す基板３０は、後述する子モジュールと共用することができる。基板３０の寸法は、例えば、長さが１６０ｍｍ、幅が８６ｍｍであり、チップＬＥＤ１を実装する実装面３１、コネクタＣＮ１〜ＣＮ４を取り付ける取付面３２、アルミ板又は固定用バー等に基板３０を取り付けるための取付穴３３を備えている。実装されたチップＬＥＤ１の配置間隔は、例えば、６個実装する場合、長さ方向が７０ｍｍ、幅方向が６８ｍｍとすることができる。
【００３７】
取付面３２は、基板３０の周縁部の各辺の中央付近に配置してある。これにより、親モジュール１０及び子モジュールを縦横並べて配置する場合に、コネクタ間の距離を短くすることができる。また、矩形状の基板３０の各辺にそれぞれコネクタを配置することによって、親モジュール１０及び子モジュール２０を様々な態様で組み合わせて配置したとしても、隣り合うモジュールを接続するコネクタが近くに存在することになる。従って、モジュールの様々な態様の配置に柔軟に対応することが可能となる。
【００３８】
なお、コネクタＣＮ１〜ＣＮ４の取り付け位置は一例であって、これに限定されるものではない。また、基板３０当たりのコネクタの数も４個に限定されるものではない。例えば、基板３０が六角形状であれば、６個の辺のそれぞれにコネクタを６個配置することで、上述した矩形状の基板の場合と同様に、モジュールの様々な態様の配置に柔軟に対応することが可能となる。また、基板が多角形状であれば、その多角形の辺の数に対応した配置をすることで、同様の効果が得られる。さらに、基板が円形であっても、基板の外周の周縁部に複数のコネクタを備えることで、モジュールの様々な態様の配置に柔軟に対応することが可能となる。
【００３９】
図４は子モジュール２０の構成を示す回路図である。子モジュール２０は、上述の基板３０に実装された６個のチップＬＥＤ（白色発光ダイオード）１、入出力用のコネクタＣＮ１〜ＣＮ４、コネクタＣＮ１に接続された開閉部としてのチップジャンパ２、３、コネクタＣＮ２に接続された開閉部としてのチップジャンパ４、５、コネクタＣＮ３に接続された開閉部としてのチップジャンパ６、７、コネクタＣＮ４に接続された開閉部としてのチップジャンパ８、９などを備えている。
【００４０】
チップジャンパ２、３は、２個一組で開閉部として機能させることができ、一方を装着することで電路を閉じ、他方を装着しないことで電路を開く。例えば、チップジャンパ３を装着し、チップジャンパ２を装着しないことにより、コネクタＣＮ１の電路（ＧＮＤでない電路）を直列接続したチップＬＥＤ１のアノードに接続することができる。コネクタＣＮ１には、親モジュール１０又は子モジュール２０から定電流電源ＩＣ１２の出力電流が供給される。
【００４１】
チップジャンパ４、５は、２個一組で開閉部として機能させることができ、一方を装着することで電路を閉じ、他方を装着しないことで電路を開く。例えば、チップジャンパ５を装着し、チップジャンパ４を装着しないことにより、コネクタＣＮ２の電路（ＧＮＤでない電路）をチップＬＥＤ１のアノードに接続することができ、コネクタＣＮ１から供給される定電流電源ＩＣ１２の出力電流を外部へ供給することができる。
【００４２】
チップジャンパ６、７についても、チップジャンパ４、５と同様にすることで、コネクタＣＮ３を通じて、コネクタＣＮ１から供給される定電流電源ＩＣ１２の出力電流を外部へ供給することができる。コネクタＣＮ３を使用しない場合には、チップジャンパ６、７を装着しないようにすればよい。また、チップジャンパ８、９についても、チップジャンパ６、７と同様である。
【００４３】
なお、チップジャンパ３、５、７、９を装着して、チップジャンパ２、４、６、８を装着しない場合には、全てのコネクタＣＮ１、２、３、４を入力用のコネクタとして同等に利用することができる。また、逆に、チップジャンパ３、５、７、９を装着せず、チップジャンパ２、４、６、８を装着した場合には、何れのコネクタＣＮ１、２、３、４から入力される定電流電源ＩＣ１２の出力電流をチップＬＥＤ１に供給することなく外部に供給することができる。
【００４４】
従って、定電流をチップＬＥＤ１に供給して発光させる子モジュール２０と、定電流をチップＬＥＤに供給せずに発光させない子モジュール２０とを、チップジャンパの装着によって調整することができる。さらに、複数の子モジュールを接続して配列する光源装置において、発光する子モジュール２０と発光しない子モジュール２０が交互になるようにして、減光させた間引き点灯が可能となる。よって、時間、場所に応じて輝度を制御することが可能となるので、省エネルギー化を図ることができる。
【００４５】
チップジャンパ２〜９を上述の如くにすることで、例えば、親モジュール１０又は他の子モジュール２０からコネクタＣＮ１に接続されたチップＬＥＤ１駆動用の電流は、コネクタＣＮ２〜ＣＮ４のいずれか又はすべてを通じて、他の子モジュール２０へ供給することができる。なお、チップジャンパ２〜９を装着するか否かの組み合わせは、上述の例に限定されるものではなく、光源装置１００に内蔵する親モジュール１０及び子モジュール２０の数又は組み合わせに応じて変更することができる。
【００４６】
図５はモジュール間の接続の一例を示す断面図である。図５において、４０は親モジュール１０及び子モジュール２０を装着するためのアルミ板である。アルミ板４０は、所定の個数の親モジュール１０及び子モジュール２０を適長離隔して装着できるだけの寸法を有している。基板３０のチップＬＥＤ１が実装された面と反対側の面にコネクタＣＮ１、ＣＮ２を取り付けてある。これにより、チップＬＥＤ１からの光が遮られることを防止することができる。また、コネクタＣＮ１、ＣＮ２は、ハーネス４１で電気的に接続してある。なお、コネクタＣＮ３、ＣＮ４、基板３０をアルミ板４０に取り付けるためのビスは図示していない。親モジュール１０、子モジュール２０の表面は、シリコーン、フッ素樹脂、エポキシ樹脂等の透明の樹脂で被覆してあり、また、コネクタＣＮ１〜ＣＮ４は防水コネクタを用いてある。これにより、光源装置１００を完全防水仕様とすることができ、光源装置１００を屋外に設置することができる。なお、コネクタＣＮ１〜ＣＮ４をチップＬＥＤ１が実装された面側に取り付けることもできる。これにより、光源装置１００の全体としての厚み（奥行き）を薄くすることができる。
【００４７】
次に、光源装置１００の親モジュール１０及び子モジュール２０の配置例について説明する。図６は親モジュール１０及び子モジュール２０の配置の第１例を示す説明図である。図６では、看板外形の寸法は、１３００ｍｍ×６５０ｍｍの場合である。図６に示すように、親モジュール１０を横向きに看板の隅に短手方向に沿って４個配置し、各親モジュール１０は、５個の子モジュール２０を駆動する。また、子モジュール２０は、看板の長手方向に沿って横向きに５個ずつ４列配置してある。よって、１個の親モジュール１０と５個の子モジュール２０から構成されるグループが４個あり、各グループにおいて、親モジュール１０の駆動回路が共用されて、親モジュール１０と複数の子モジュール２０に実装されている光源としてのチップＬＥＤ１が駆動される。
【００４８】
図７は親モジュール１０及び子モジュール２０の配置の第２例を示す説明図である。図７では、看板外形の寸法は、１３００ｍｍ×７００ｍｍの場合である。図７に示すように、親モジュール１０を縦向きに看板の隅に短手方向に沿って３個配置し、各親モジュール１０は、８個の子モジュール２０を駆動する。また、子モジュール２０は、看板の長手方向に沿って縦向きに８個ずつ３列配置してある。よって、１個の親モジュール１０と８個の子モジュール２０から構成されるグループが３個あり、各グループにおいて、親モジュール１０の駆動回路が共用されて、親モジュール１０と複数の子モジュール２０に実装されている光源としてのチップＬＥＤ１が駆動される。
【００４９】
図８は親モジュール１０及び子モジュール２０の配置の第３例を示す説明図である。図８では、看板外形の寸法は、１３００ｍｍ×８００ｍｍの場合である。図８に示すように、親モジュール１０を横向きに看板の隅に短手方向に沿って５個配置し、各親モジュール１０は、５個の子モジュール２０を駆動する。また、子モジュール２０は、看板の長手方向に沿って横向きに５個ずつ５列配置してある。よって、１個の親モジュール１０と５個の子モジュール２０から構成されるグループが５個あり、各グループにおいて、親モジュール１０の駆動回路が共用されて、親モジュール１０と複数の子モジュール２０に実装されている光源としてのチップＬＥＤ１が駆動される。
【００５０】
図９は親モジュール１０及び子モジュール２０の配置の第４例を示す説明図である。図９では、看板外形の寸法は、１３００ｍｍ×９００ｍｍの場合である。図９に示すように、親モジュール１０を縦向きに看板の隅に短手方向に沿って４個配置し、各親モジュール１０は、８個の子モジュール２０を駆動する。また、子モジュール２０は、看板の長手方向に沿って縦向きに８個ずつ４列配置してある。よって、１個の親モジュール１０と８個の子モジュール２０から構成されるグループが４個あり、各グループにおいて、親モジュール１０の駆動回路が共用されて、親モジュール１０と複数の子モジュール２０に実装されている光源としてのチップＬＥＤ１が駆動される。
【００５１】
図１０は親モジュール１０及び子モジュール２０の配置の第５例を示す説明図である。図１０では、看板外形の寸法は、１５００ｍｍ×６５０ｍｍの場合である。図１０に示すように、親モジュール１０を横向きに看板の隅に短手方向に沿って４個配置し、各親モジュール１０は、６個の子モジュール２０を駆動する。また、子モジュール２０は、看板の長手方向に沿って横向きに６個ずつ４列配置してある。よって、１個の親モジュール１０と６個の子モジュール２０から構成されるグループが４個あり、各グループにおいて、親モジュール１０の駆動回路が共用されて、親モジュール１０と複数の子モジュール２０に実装されている光源としてのチップＬＥＤ１が駆動される。
【００５２】
図１１は親モジュール１０及び子モジュール２０の配置の第６例を示す説明図である。図１１では、看板外形の寸法は、１５００ｍｍ×８００ｍｍの場合である。図１１に示すように、親モジュール１０を横向きに看板の隅に短手方向に沿って５個配置し、各親モジュール１０は、６個の子モジュール２０を駆動する。また、子モジュール２０は、看板の長手方向に沿って横向きに６個ずつ５列配置してある。よって、１個の親モジュール１０と６個の子モジュール２０から構成されるグループが５個あり、各グループにおいて、親モジュール１０の駆動回路が共用されて、親モジュール１０と複数の子モジュール２０に実装されている光源としてのチップＬＥＤ１が駆動される。
【００５３】
上述の例では、各親モジュール１０は、同一数の子モジュール２０を駆動する構成であったが、これに限定されるものではなく、親モジュール１０が子モジュール２０を駆動することができる最大数の範囲で任意の数の子モジュール２０を駆動することもできる。これにより、さらに異なる看板外形に柔軟に対応することができる。また、配置するモジュールの数が親モジュール１０の数の倍数に限定されないので、アクリル板５１上の照度を一層所望の値に調整することが可能となる。
【００５４】
図１２は親モジュール１０及び子モジュール２０の配置の第７例を示す説明図である。図１２では、看板外形の寸法は、１３００ｍｍ×８００ｍｍの場合である。図１２に示すように、看板の中央付近に親モジュール１０を縦向きに短手方向に沿って４個ずつ２組配置し、一方の組の各親モジュール１０は、５個の子モジュール２０を駆動し、他方の組の各親モジュール１０は、４個の子モジュール２０を駆動する。また、子モジュール２０は、看板の長手方向に沿って縦向きに５個ずつ４列及び４個ずつ４列配置してある。よって、１個の親モジュール１０と５個の子モジュール２０から構成される４個のグループと、１個の親モジュール１０と４個の子モジュール２０から構成される４個のグループが構成されており、各グループにおいて、親モジュール１０の駆動回路が共用されて、親モジュール１０と複数の子モジュール２０に実装されている光源としてのチップＬＥＤ１が駆動される。
【００５５】
上述の例では、子モジュール２０を横向き又は縦向きに直線状に配置する構成であったが、これに限定されるものではなく、例えば、ループ状に配置することもできる。
【００５６】
図１３は親モジュール１０及び子モジュール２０の配置の第８例を示す説明図である。図１３では、看板外形の寸法は、１３００ｍｍ×６５０ｍｍの場合である。図１３に示すように、看板の中央付近に親モジュール１０を横向きに４個互いに隣接するように配置し、各親モジュール１０は、５個の子モジュール２０を駆動する。また、子モジュール２０は、２列に亘って長手方向に沿って横向きに５個配置してある。よって、１個の親モジュール１０と５個の子モジュール２０から構成されるグループが４個あり、各グループにおいて、親モジュール１０の駆動回路が共用されて、親モジュール１０と複数の子モジュール２０に実装されている光源としてのチップＬＥＤ１が駆動される。
【００５７】
上述の例では、親モジュール１０は、チップＬＥＤ１を６個実装した構成であったが、これに限定されるものではなく、親モジュール１０からチップＬＥＤ１を取り除いた構成とすることもできる。
【００５８】
図１４は親モジュール１０及び子モジュール２０の配置の第９例を示す説明図である。図１４では、看板外形の寸法は、例えば、１４００ｍｍ×７００ｍｍの場合である。図１４に示すように、親モジュール１０を横向きに看板の隅に短手方向に沿って４個配置し、各親モジュール１０は、６個の子モジュール２０を駆動する。また、子モジュール２０は、看板の長手方向に沿って横向きに６個ずつ４列配置してある。よって、１個の親モジュール１０と６個の子モジュール２０から構成されるグループが４個あり、各グループにおいて、親モジュール１０の駆動回路が共用されて、複数の子モジュール２０に実装されている光源としてのチップＬＥＤ１が駆動される。
【００５９】
また、この場合、親モジュール１０は、チップＬＥＤ１を実装していないので、基板３０の寸法は、子モジュール２０の基板３０に比べて小さくすることができる。
【００６０】
上述の例では、チップＬＥＤ１を実装した親モジュール１０及び子モジュール２０の各基板３０は同一寸法であったが、これに限定されるものではなく、親モジュール１０及び子モジュール２０それぞれの基板３０の寸法が異なる構成であってもよい。
【００６１】
図１５は親モジュール１０及び子モジュール２０の配置の第１０例を示す説明図である。図１５では、看板外形の寸法は、例えば、１４００ｍｍ×７００ｍｍの場合である。図１５に示すように、親モジュール１０を横向きに看板の隅に短手方向に沿って４個配置し、各親モジュール１０は、３個の子モジュール２０を駆動する。また、子モジュール２０は、看板の長手方向に沿って横向きに３個ずつ４列配置してある。よって、１個の親モジュール１０と３個の子モジュール２０から構成されるグループが４個あり、各グループにおいて、親モジュール１０の駆動回路が共用されて、親モジュール１０と複数の子モジュール２０に実装されている光源としてのチップＬＥＤ１が駆動される。
【００６２】
また、この場合、親モジュール１０の基板３０の寸法は、子モジュール２０の基板３０の半分である。また、親モジュール１０に実装したチップＬＥＤ１の数は６個であり、子モジュール２０に実装したチップＬＥＤ１の数は１２個である。すなわち、親モジュール１０及び子モジュール２０の基板３０の面積当たりのチップＬＥＤ１の数は同一である。これにより、看板や標識等の形状寸法に合わせて、親モジュール１０又は子モジュール２０の数を増減したときでも、基板面積当たりの光源数が変わらないので、看板や標識の形状寸法に関わらず明るさを一様にすることができる。
【００６３】
図１６は親モジュール１０及び子モジュール２０の配置の第１１例を示す説明図である。図１６では、看板外形の寸法は、４５０ｍｍ×８００ｍｍの場合である。図１６に示すように、看板の片隅に親モジュール１０を横向きに１個配置し、親モジュール１０は、９個の子モジュール２０を駆動する。子モジュール２０は、看板の残りのスペースに５列に亘って９個配置してある。看板を取り付ける箇所に光源装置１００を複数配置する場合、取り付け箇所によっては、寸法の小さな隙間が残る場合もある。図１６の例では、このような小さな隙間でも光源装置１００を設置することができる。
【００６４】
実施の形態２
上述の実施の形態では、光源装置１００は、看板の片面のみから発光する構成であったが、これに限定されるものではない。図１７は実施の形態２の光源装置２００の外観斜視図である。光源装置２００は、看板、標識若しくは表示板又は照明器具などに用いることができる。図１７に示すように、光源装置２００は、壁又は地面などに設置された支柱（不図示）に取り付けることができ、親モジュール１０及び子モジュール２０を複数内部に配置することができる枠体６０の両面に、文字、記号、図形又は模様などが描かれたアクリル板６１、６２を取り付けてある。内蔵されたチップＬＥＤ１により、アクリル板６１、６２全体が所要の照度で均一に発光する。
【００６５】
実施の形態２では、親モジュール１０及び子モジュール２０を基板３０の裏面（コネクタを取り付けた側の基板面）がお互いに対向するように枠体６０内部に配置すればよい。親モジュール１０及び子モジュール２０の構成及び配置例は、実施の形態１と同様であるので、説明は省略する。
【００６６】
実施の形態３
図１８は実施の形態３の光源装置３００の外観斜視図である。図１８に示すように、光源装置３００は、壁又は地面などに設置された支柱（不図示）に取り付けることができる。略円筒状の枠体７０に、複数のアクリル板７１、７２、７３、７４を周設してある。親モジュール１０及び子モジュール２０を径方向に向かって周方向に沿って配置している。アクリル板７１、…には、文字、記号、図形又は模様などが描かれている。内蔵されたチップＬＥＤ１により、アクリル板７１、…全体が所要の照度で均一に発光する。
【００６７】
以上説明したように、本発明にあっては、グループを形成した複数のモジュールで構成して、すべてのモジュールに駆動回路を設ける必要がないので、光源装置全体として電力ロスを低減することができる。また、駆動回路を共用することができ、光源装置全体として電力ロスを低減することができる。また、光源装置内で複数のモジュールを配置する際の自由度が増し、柔軟な配置を実現することができる。また、光源装置を看板や標識等に使用する場合、看板や標識等の形状寸法に合わせて光源（例えば、チップＬＥＤ）数を増減することができ、形状寸法が異なる看板や標識等に使用することができる。また、看板や標識等の形状寸法に合わせて、親モジュール又は子モジュールの数を増減したときでも、基板面積当たりのチップＬＥＤ数が変わらないので、看板や標識の形状寸法に関わらず明るさを一様にすることができる。また、親モジュール又は子モジュールの数を増減させることで、看板や標識等の形状寸法に合わせることが可能となる。また、親モジュールで駆動する子モジュールの数に関わらず、各子モジュールのチップＬＥＤに同程度の電流を流すことができる。また、親モジュール同士の接続、子モジュール同士の接続、あるいは親モジュールと子モジュールとの接続を容易に行うことができる。
【００６８】
上述の実施の形態では、光源としてチップＬＥＤを用いることにより、光源装置の長寿命化、省電力化を図ることができる。しかし、光源はチップＬＥＤに限定されるものではなく、電球や他の発光素子を用いることもできる。
【００６９】
上述の実施の形態では、光源装置を看板に適用する場合を例に挙げて説明したが、本発明に係る光源装置は、看板用に限定されるものではなく、標識、表示板、照明器具など、平面発光部分を備える照明装置であれば適用することが可能である。また、適用する場所も屋外又は屋内を問わず、どのような場所でも適用することができる。
【図面の簡単な説明】
【００７０】
【図１】本発明に係る光源装置の外観斜視図である。
【図２】親モジュールの構成を示す回路図である。
【図３】親モジュールの基板の実装配置の一例を示す説明図である。
【図４】子モジュールの構成を示す回路図である。
【図５】モジュール間の接続の一例を示す断面図である。
【図６】親モジュール及び子モジュールの配置の第１例を示す説明図である。
【図７】親モジュール及び子モジュールの配置の第２例を示す説明図である。
【図８】親モジュール及び子モジュールの配置の第３例を示す説明図である。
【図９】親モジュール及び子モジュールの配置の第４例を示す説明図である。
【図１０】親モジュール及び子モジュールの配置の第５例を示す説明図である。
【図１１】親モジュール及び子モジュールの配置の第６例を示す説明図である。
【図１２】親モジュール及び子モジュールの配置の第７例を示す説明図である。
【図１３】親モジュール及び子モジュールの配置の第８例を示す説明図である。
【図１４】親モジュール及び子モジュールの配置の第９例を示す説明図である。
【図１５】親モジュール及び子モジュールの配置の第１０例を示す説明図である。
【図１６】親モジュール及び子モジュールの配置の第１１例を示す説明図である。
【図１７】実施の形態２の光源装置の外観斜視図である。
【図１８】実施の形態３の光源装置の外観斜視図である。
【符号の説明】
【００７１】
１  チップＬＥＤ
２、３、４、５、６、７、８、９  チップジャンパ
１０  親モジュール
１１  ヒューズ
１２  定電流電源ＩＣ
１３  コンデンサ
１４  バリスタ
１５  抵抗
２０  子モジュール
ＣＮ１、ＣＮ２、ＣＮ３、ＣＮ４  コネクタ
３０  基板
４０アルミ板
４１  ハーネス
【図１】
2010015781.tif 000003
【図２】
2010015781.tif 000004
【図３】
2010015781.tif 000005
【図４】
2010015781.tif 000006
【図５】
2010015781.tif 000007
【図６】
2010015781.tif 000008
【図７】
2010015781.tif 000009
【図８】
2010015781.tif 000010
【図９】
2010015781.tif 000011
【図１０】
2010015781.tif 000012
【図１１】
2010015781.tif 000013
【図１２】
2010015781.tif 000014
【図１３】
2010015781.tif 000015
【図１４】
2010015781.tif 000016
【図１５】
2010015781.tif 000017
【図１６】
2010015781.tif 000018
【図１７】
2010015781.tif 000019
【図１８】
2010015781.tif 000020